(57)【特許請求の範囲】
【請求項１】
モータ部の回転子側に固定されるとともに放射状に配設される羽根と、一端を前記回転子側に固定され他端を前記羽根に係止される係止具を備えた天井扇風機。
【発明の詳細な説明】
【０００１】
【発明の属する技術分野】
本発明は主として屋内の天井面に取り付けて用いる天井扇風機に関する。
【０００２】
【従来の技術】
従来、この種の天井扇風機は実公平３−１５８３８号公報に記載されたものが知られている。
【０００３】
以下、その天井扇風機について図９および図１０を参照しながら説明する。図に示すように本体１０１はアウターロータ型のモータを内蔵し、ステータ１０２の中心を貫通して固定される固定軸１０３の上端部が建物の天井面に固定される。この固定軸１０３の下端部には制御ボックス１０４が装着され、遠隔操作部（図示せず）からの光信号によって本体１０１の運転が遠隔操作される信号受信器や信号処理回路などの電装品を内蔵している。ロータ１０５は外枠１０６の内側に固定され、ステータ１０２の外周にエンドプレート１０７とボールベアリング１０８を介して回転自在に装着される。羽根１０９はカウリング１１０とともにエンドプレート１０７の下面外縁に放射状にねじ締め固定されている。また羽根１０９の材質は合成樹脂製のものが多用されている。
【０００４】
【発明が解決しようとする課題】
このような従来の天井扇では、羽根１０９には回転時に翼面で空気を下方へ押し下げる応力が常に働いており、運転中には羽根の根元に応力が集中しやすくなり、長期間使用していると折損して落下する場合もあるという安全上の課題があり、羽根１０９が破損した場合でも本体から離脱しないことが要求されている。
【０００５】
本発明はこのような従来の課題を解決するものであり、羽根が根元で破損しても破損片の落下を防止することができる天井扇風機を提供することを目的としている。
【０００６】
【課題を解決するための手段】
本発明の天井扇風機は上記目的を達成するために、モータ部の回転子側に放射状に配設される羽根と、一端を前記回転子側に固定され他端を前記羽根に係止される係止具を備えたものである。
【０００７】
本発明によれば、羽根が根元で破損しても破損片の落下を防止することのできる天井扇風機が得られる。
【０００８】
【発明の実施の形態】
本発明は、モータ部の回転子側に固定されるとともに放射状に配設される羽根と、一端を回転子側に固定され他端を羽根に係止される係止具を備えたものであり、羽根が衝撃的な外力による破損や材料の疲労による折損等いずれの場合も取付固定箇所の直近部位に応力が集中して破断するものであり、破断した羽根は係止具によって本体に係留されるという作用を有する。
【０００９】
以下、本発明の実施例について図面を参照しながら説明する。なお従来例と同一部分には同一符号を付し詳細な説明は省力する。
【００１０】
【実施例】
（実施例１）
図１〜図５に示すように、本体１０１はアウターロータ型のモータを有し、ステータ１０２の中心を貫通して固定される固定軸１０３の上端部が天井面に係止されて本体１０１全体が天井面に取付けられる。この固定軸１０３の下端部には本体１０１の運転を制御する制御ボックス１０４が固定されている。ロータ１０５は外枠１０６の内側に固定されてステータ１０２の外周に、エンドプレート１０７とボールベアリング１０８を介して回転自在に装着される。羽根１は強度や形状寸法の精度確保上からポリカーボネート樹脂で形成され、表面の短辺部分の一端に羽根取付用の貫通穴を一列に３個設けている。真中の１個を含む２個の穴から羽根の長辺に沿って先端方向へ略Ｌ字形の凹部２を設けている。係止具３は柔軟性のある金属板で、本実施例では亜鉛メッキ鋼板を用いた略Ｌ字形をなし、凹部２に嵌め込まれるように略同寸同形状としている。すなわち係止具３は取付穴２個と、その２個の穴の中心を通る直線を短辺とし、そこから直角方向にのびる長辺部４からなるものであって、長辺部４の先端には、幅広部５を設けている。また凹部２はこの幅広部５が容易に嵌り込む形状寸法を有し、その幅広部５の両側の縁部分を覆う庇部６を設けている。羽根１はエンドプレート１０７の下面外縁に２本の取付ねじ７によって締付固定されるものであるが、この取付を強固にすることと取付部を覆うためカウリング１１０を用いる。このカウリング１１０は羽根１の一端である固定側が水平に挿入される穴を有する円弧状の外壁を持ち、その外壁の円弧の内側下方から水平に、羽根１の取付部を支える張出し部１１１をガラス強化樹脂で強固に成形したものである。
【００１１】
上記構成において、羽根１の凹部２へ係止具３を嵌め込み後、この固定側をカウリング１１０の外壁の穴へ挿入し、羽根１の羽根取付用穴の中央穴に羽根１と係止具３を共にねじ締め固定する。次にこの羽根１を取り付けたカウリング１１０をエンドプレート１０７の下面外縁にねじ締め固定する。すなわち羽根１と係止具３はカウリング１１０とエンドプレート１０７に挟まれて固定されることになる。
【００１２】
次に運転を行うと回転時の空気抵抗により羽根１の取付箇所へ曲げ荷重が繰り返し加わり、長期間の使用により、経年変化や成形歪が大きい場合は折損することも有り得る。しかし、図５に示すように係止片３の先端の幅広部５が羽根１の庇部６に係止されているから破片は離脱しないこととなる。係止片３は金属の薄板で軽量小型のものであることから回転体の重量アンバランスを発生することもなく、取付も羽根１とカウリング１１０の組付時に共締めにより取り付けられる。さらにカウリング１１０と共にエンドプレート１０７へ確実強固にねじ締めされるから、カウリング１１０が破損した場合でも羽根を本体へ継ぎ止めることができるものである。
【００１３】
なお係止片はワイヤー状のものや材料が金属以外のものであっても、経年劣化の少ない軽量のものであれば同様の作用効果が得られる。
【００１４】
（参考例１）
図６〜図８は、円弧状の外壁の内側両端に突出し、その先端が下を向いた鉤爪９を設けたカウリング８と、この鉤爪９に対応する引掛部１１を設けたエンドプレート１０の構成と関係を示すものである。
【００１５】
羽根１は上から吊り下げられた本体のエンドプレート１０の下面に下からねじ締めするものであるが、まず羽根１を組み付けたカウリング８の鉤爪９をエンドプレート１０の角筒状の引掛部１１に挿入すると、鉤爪９の下を向いた先端が引掛部１１の下面に設けた穴１２に引っ掛かり、羽根１をほぼ水平状態で取付位置に保持することができる。そして自由に両手を使って取付ねじ７をねじ込み、締め付けることにより、高所での上向きの作業が安全に確実に行うことができるものである。
【００１６】
【発明の効果】
以上の実施例の説明から明らかなように本発明によれば、回転子側に一端を固定し、他端を羽根に係止する係止具を設けることにより、運転時に羽根が破損した場合、その破損片は係止具によって係留されるので、飛散したり落下しない安全な天井扇風機を提供できる。
【図面の簡単な説明】
【図１】  本発明の実施例１の羽根取付要部分解斜視図
【図２】  同要部断面図
【図３】  同要部組立斜視図
【図４】  同係止部分拡大図
【図５】  同羽根取付部折損時の要部断面図
【図６】  本発明の参考例１の羽根取付部組立斜視図
【図７】  同羽根取付要部断面図
【図８】  同羽根取付作業状態を示す斜視図
【図９】  従来の天井扇風機の断面図
【図１０】  同羽根取付部の要部断面図
【符号の説明】
１      羽根
３      係止具
８      カウリング（羽根取付部）
９      鉤爪（爪部）
１２    穴（凹部）
１０５  ロータ（回転子側）
【図１】
0003803475.tif 000002
【図２】
0003803475.tif 000003
【図３】
0003803475.tif 000004
【図４】
0003803475.tif 000005
【図５】
0003803475.tif 000006
【図６】
0003803475.tif 000007
【図７】
0003803475.tif 000008
【図８】
0003803475.tif 000009
【図９】
0003803475.tif 000010
【図１０】
0003803475.tif 000011